(57)【特許請求の範囲】
【請求項１】
前身頃の表側面にポケットが設けられた上衣であって、
前記前身頃の表側面を構成する基材表面に帯状部が設けられ、前記帯状部が前記基材よりも親水性に形成され、
前記帯状部は、前記ポケットの開口に対して身長方向の鉛直上方に位置する部分を含み、身長方向の上方から下方に向かって身幅方向の外方から内方へ延びて、前記ポケットの開口よりも身幅方向の内方に到達するように設けられていることを特徴とする上衣。
【請求項２】
前記帯状部のうち、前記ポケットの開口に対して身長方向の鉛直上方に位置する部分を含み、身長方向の上方から下方に向かって身幅方向の外方から内方へ延びて、前記ポケットの開口よりも身幅方向の内方に到達する部分を第１部分としたとき、前記帯状部はさらに、下記のように設けられた第２部分を有する請求項１に記載の上衣。
第２部分：前記第１部分の身長方向の鉛直下方に位置する部分を含み、前記ポケットの開口よりも身幅方向の内方の位置から、身長方向の上方から下方に向かって、鉛直下方および／または身幅方向の内方から外方へ延びて、前記ポケットの開口よりも身長方向の下方に到達する。
【請求項３】
前記帯状部のうち、前記ポケットの開口に対して身長方向の鉛直上方に位置する部分を含み、身長方向の上方から下方に向かって身幅方向の外方から内方へ延びて、前記ポケットの開口よりも身幅方向の内方に到達する部分を第１部分としたとき、前記帯状部はさらに、下記のように設けられた第３部分を有する請求項１または２に記載の上衣。
第３部分：前記第１部分の身長方向の鉛直上方に位置する部分を含み、身長方向の上方から下方に向かって身幅方向の内方から外方へ延びて、前記第１部分に接続するか、前記第１部分よりも身幅方向の外方に到達する。
【請求項４】
前記ポケットの開口は、身長方向の長さが身幅方向の長さよりも長く形成されている請求項１〜３のいずれか一項に記載の上衣。
【請求項５】
前記帯状部は、前記基材に、表側面が前記基材よりも親水性に形成されたテープが取り付けられることにより形成される請求項１〜４のいずれか一項に記載の上衣。
【請求項６】
前記帯状部は、表側面に、前記帯状部の延在方向に延びる凸条が複数並んで形成されている請求項１〜５のいずれか一項に記載の上衣。
【請求項７】
前記凸条は高さが１ｍｍ以下である請求項６に記載の上衣。
【請求項８】
前記帯状部は、表側面が樹脂層から構成されている請求項１〜７のいずれか一項に記載の上衣。
【発明の詳細な説明】
【技術分野】
【０００１】
本発明は上衣に関するものである。
【背景技術】
【０００２】
従来、レインコートやレインウェア等の雨の際に着用する上衣が知られている。レインコートやレインウェアは防水性や耐水性を有するように形成され、レインコートやレインウェアに降った雨は、通常そのまま重力に従って表面を伝って流れ、地面に落ちる。一方、特許文献１には、前身頃や後身頃の裾に外側（表側）へカールした樋を形成し、樋の先端にホースが設けられたレインウェアが開示されている。特許文献１のレインウェアでは、レインウェアの表面を流れ落ちた水が一旦樋に貯められ、樋に接続したホースを通って排除されるようになっている。
【先行技術文献】
【特許文献】
【０００３】
【特許文献１】特開平７−３０５２０８号公報
【発明の概要】
【発明が解決しようとする課題】
【０００４】
上衣の前身頃にはポケットが設けられる場合があり、雨が降った際などに当該ポケットに水が入り込まないようにすることが好ましい。しかし、特許文献１に開示されるように上衣に樋を設ける方法では、前身頃にポケットが設けられた場合に、当該ポケットに水が入り込まないように形成するには、実用性や機能性の点から難しい部分がある。
【０００５】
本発明は前記事情に鑑みてなされたものであり、その目的は、前身頃にポケットが設けられた上衣であって、雨が降った際などに前身頃にかかった水がポケットに入りにくくなるように形成された上衣を提供することにある。
【課題を解決するための手段】
【０００６】
前記課題を解決することができた本発明の上衣とは、前身頃の表側面にポケットが設けられた上衣であって；前身頃の表側面を構成する基材表面に帯状部が設けられ、帯状部が基材よりも親水性に形成され；帯状部は、ポケットの開口に対して身長方向の鉛直上方に位置する部分を含み、身長方向の上方から下方に向かって身幅方向の外方から内方へ延びて、ポケットの開口よりも身幅方向の内方に到達するように設けられているところに特徴を有する。
【０００７】
本発明の上衣は、上記のように形成された帯状部を前身頃の基材表面に設けることにより、前身頃の表側面を伝って落ちる水が帯状部に達し、帯状部に沿って流れることにより、ポケットの開口よりも身幅方向の内方に排除されやすくなる。その結果、前身頃にかかった水がポケットに入り込みにくくなる。また、ポケットの開口よりも身幅方向の内方に水が排除されることにより、ポケットに手を入れる際にも、ポケットに水が入るのが抑えられ、手も濡れにくくなる。
【０００８】
本発明の上衣において、前記帯状部のうち、ポケットの開口に対して身長方向の鉛直上方に位置する部分を含み、身長方向の上方から下方に向かって身幅方向の外方から内方へ延びて、ポケットの開口よりも身幅方向の内方に到達する部分を第１部分としたとき、帯状部はさらに、次のように設けられた第２部分を有することが好ましい。第２部分：第１部分の身長方向の鉛直下方に位置する部分を含み、ポケットの開口よりも身幅方向の内方の位置から、身長方向の上方から下方に向かって、鉛直下方および／または身幅方向の内方から外方へ延びて、ポケットの開口よりも身長方向の下方に到達する。
【０００９】
帯状部が第１部分と第２部分を有することにより、帯状部の第１部分によってポケットの開口よりも身幅方向の内方に排除された水が、帯状部の第２部分に沿ってポケットの開口よりも身長方向の下方に誘導され、ポケットの開口に水が入るのが抑えられる。また、前身頃を伝って落ちる水が、前身頃の身幅方向の中心付近のみに集まるのが抑えられ、前身頃から落下した水によって着用者の足元が邪魔されにくくなる。
【００１０】
帯状部は、第１部分に加え、さらに次のように設けられた第３部分を有することも好ましい。第３部分：第１部分の身長方向の鉛直上方に位置する部分を含み、身長方向の上方から下方に向かって身幅方向の内方から外方へ延びて、第１部分に接続するか、第１部分よりも身幅方向の外方に到達する。
【００１１】
帯状部が第３部分を有することにより、肩から前身頃に落ちてきた水が身幅方向の外方に排除され、前身頃の表側面を伝って落ちる水の量を低減することができる。その結果、ポケットに入る水の量を低減することができる。
【００１２】
ポケットの開口は、身長方向の長さが身幅方向の長さよりも長く形成されていることが好ましい。このようにポケットの開口が形成されていれば、前身頃にかかった水がポケットに入りにくくなる。
【００１３】
帯状部は、前身頃の表側面を構成する基材に、表側面が前記基材よりも親水性に形成されたテープが取り付けられることにより形成されることが好ましい。帯状部をテープによって形成することにより、帯状部を簡便に設けることができる。また、前身頃の基材表面を落下した水が帯状部に引っ掛かりやすくなる。
【００１４】
帯状部は、表側面に、帯状部の延在方向に延びる凸条が複数並んで形成されていることが好ましい。帯状部の表側面に凸条が形成されていれば、基材表面を落下した水が帯状部に引っ掛かりやすくなるとともに、帯状部で水が凸条の延在方向に沿って移動しやすくなる。なお凸条は、水が凸条の間に入り込んで留まるのを防止する点から、高さが１ｍｍ以下となるように形成されることが好ましい。
【００１５】
帯状部は、表側面が樹脂層から構成されていることが好ましい。帯状部の表側面が樹脂層から構成されていれば、上衣に水が浸透しにくくなり、水が帯状部の樹脂層上を帯状部の延在方向に沿って移動しやすくなる。
【発明の効果】
【００１６】
本発明の上衣は、前身頃を構成する基材表面に帯状部が設けられているため、雨が降った際など、前身頃にかかった水が帯状部によってポケットの開口を避けるように排除されやすくなり、ポケットに水が入り込みにくくなる。
【図面の簡単な説明】
【００１７】
【図１】本発明の上衣の構成例を表し、上衣の斜視図を表す。
【図２】本発明の上衣の構成例を表し、上衣の斜視図を表す。
【図３】本発明の上衣の構成例を表し、上衣の斜視図を表す。
【図４】本発明の上衣の構成例を表し、上衣の斜視図を表す。
【図５】本発明の上衣の構成例を表し、上衣の斜視図を表す。
【発明を実施するための形態】
【００１８】
本発明は上衣に関するものである。上衣は、少なくとも上半身に着用する部分を含んでおり、代表的にはジャケットやコート等が挙げられる。上衣には、例えばフードが取り付けられていてもよく、上衣は、下衣と一体化したつなぎ服であってもよい。上衣は、比較的身体にルーズに着用されるものであってもよく、スポーツウェアのように比較的身体に密着して着用されるものであってもよい。
【００１９】
上衣は身長方向と身幅方向を有する。身長方向とは、着用者の頭から足にかけての方向に相当し、身幅方向とは、着用者の左右方向に相当する。上衣の身長方向と身幅方向は、着用者が上衣を着用した状態で定められる。身長方向に対しては上方と下方が定められ、身幅方向に対しては、身幅方向の中心線（着用者の左右方向の中心線に対応）を基準に、内方と外方が定められる。
【００２０】
本発明の上衣は、使用の際、雨など水がかかることが想定され得るものであり、下着よりも外側に着用されるものが想定される。なお、上衣は水の中で用いることは想定されておらず、従って、上衣は下着、水着、保護スーツ（ウェットスーツやドライスーツ）以外の衣料であることが好ましい。
【００２１】
上衣には、前身頃の表側面にポケットが設けられている。上衣の前身頃とは、胴体の前側を覆う部分を意味し、前身頃と後身頃（胴体の後側を覆う部分）は身体の真横で区分される。表側面とは、上衣を着用した状態で外側に露出する面を表す。
【００２２】
上衣の前身頃や後身頃の表側面を構成する基材の種類は特に限定されず、織布、編布、不織布、樹脂フィルム等のシート材料を用いることができる。基材として布材料を用いる場合は、水をはじきやすくしたり、強度を確保しやすくする点から、織布や編布を採用することが好ましく、高密度織布や高密度編布を採用することがより好ましい。
【００２３】
ポケットは、前身頃の表側面に開口を有するように設けられる。具体的には、ポケットは、前身頃の表側面を構成する基材表面に開口を有するように設けられる。ポケットは、例えば、切りポケットであっても、パッチポケットであってもよい。切りポケットとは、前身頃の表側面の一部を切って開口を形成し、ポケットの袋部分が表側面の内側に設けられたポケットを意味する。パッチポケットとは、前身頃の表側面に別のシート部材を張り付けて形成されたポケットを意味する。ポケットの開口には、スライドファスナー等が取り付けられていてもよい。
【００２４】
ポケットは、前身頃の左側のみ、右側のみ、または左側と右側にそれぞれ設けられることが好ましく、前身頃の左側と右側に跨がって設けられないことが好ましい。ポケットの開口は、身長方向の上方に向かって開いているか、身幅方向の外方に向かって開いているか、身長方向の上方かつ身幅方向の外方に向かって開いていることが好ましい。ポケットは、例えば、全体が上衣の脇の下（腋窩）よりも身長方向の下方に設けられることが好ましい。
【００２５】
ポケットの開口は、身長方向の長さが身幅方向の長さよりも長く形成されていることが好ましい。この場合、ポケットの開口は、身幅方向の外方に向かって開いているか、身長方向の上方かつ身幅方向の外方に向かって開いていることとなる。ポケットの開口が、身長方向の長さが身幅方向の長さよりも長くなるように形成されていれば、雨天時などに上衣にかかった水が、ポケットに入りにくくなる。
【００２６】
上衣には、前身頃の表側面を構成する基材表面に帯状部が設けられている。帯状部は前身頃の表側面の一部を構成するように設けられ、基材の表側面に設けられる。帯状部は、前身頃に水がかかった際に、水がポケットにできるだけ入らないように、所望の方向へ導くことを狙いとして設けられる。そのために、帯状部は基材よりも親水性に形成されている。具体的には、帯状部の表側面は基材の表側面よりも親水性に形成されている。
【００２７】
帯状部は、基材表面に細長い形状（すなわち帯状）に設けられる限り、例えば、直線状であっても、曲線状であっても、それらを組み合わせた形状であってもよく、蛇行線状等であってもよい。帯状部は、連続的に設けられても断続的に設けられてもよい。帯状部の配置については、下記に詳述する。
【００２８】
帯状部の形成方法としては、例えば、基材表面（基材の表側面）に基材よりも親水性のテープを取り付けて帯状部を形成したり、基材表面に基材よりも親水性の樹脂等を塗布して帯状部を形成したり、基材表面の一部を改質して親水化することにより帯状部を形成することができる。基材表面の一部を改質する方法としては、コロナ放電処理、プラズマ表面処理等が挙げられる。なお、帯状部は基材を貫通して形成されない。
【００２９】
本発明の上衣は、前身頃の基材表面に帯状部を設け、帯状部を基材よりも親水性に形成することにより、前身頃にかかった水が帯状部に沿って移動しやすくなり、水が所望の方向へ導かれやすくなる。前身頃にかかった水は、基本的に重力に従って前身頃の表側面を伝って落ちるが、基材は帯状部よりも親水性が低く形成されているため、基材表面では水が比較的真っ直ぐ下に向かって落下しやすいのに対し、帯状部は基材よりも親水性が高く形成されているため、帯状部では水が帯状部の延在方向に沿って移動しやすくなる。そのため上衣は、帯状部が設けられた部分で、水が帯状部の延在方向に沿って流れやすくなる。
【００３０】
上衣はまた、基材表面に親水性の高い帯状部を設けているため、帯状部に水が留まっても、その下側に基材があることによって、当該部分で水が上衣の内部に浸透するのを抑えることができる。
【００３１】
基材と帯状部の親水性は、それぞれの水滴の接触角を測定することにより求めることができる。接触角は、例えば、ＪＩＳ  Ｒ  ３２５７（１９９９年版）の「６．静滴法」に従って測定すればよく、接触角計により測定をすることもできる。接触角が小さいほど親水性が高いこととなる。
【００３２】
帯状部は、上衣にかかった水がポケットにできるだけ入らないように前身頃の表側面に配される。具体的には、帯状部は、ポケットの開口に対して身長方向の鉛直上方に位置する部分を含み、身長方向の上方から下方に向かって身幅方向の外方から内方へ延びて、ポケットの開口よりも身幅方向の内方に到達するように設けられる。帯状部を、ポケットの開口に対して身長方向の鉛直上方に位置する部分を含むように設けることにより、ポケットの開口の上方から、水が基材表面を伝って落ちてポケットに入るのが抑えられる。そして帯状部を、身長方向の上方から下方に向かって身幅方向の外方から内方へ延びてポケットの開口よりも身幅方向の内方に到達するように設けることにより、基材表面を伝って落ちて帯状部に達した水が帯状部に沿って流れ、ポケットの開口よりも身幅方向の内方に排除されやすくなる。通常、上衣の前身頃の外側面に設けられるポケットは、身幅方向の外方から手を入れる（身幅方向の外方かつ身長方向の上方から手を入れる場合も含む）ため、水がポケットの開口よりも身幅方向の内方に排除されるように帯状部を設けることにより、ポケットに手を入れる際にも、ポケットに水が入るのが抑えられ、手も濡れにくくなる。
【００３３】
なお、帯状部が、ポケットの開口に対して身長方向の鉛直上方に位置する部分を含むように設けられるとは、帯状部の少なくとも一部が、ポケットの開口から身長方向の上方に真っ直ぐ延びる領域（ポケット上方領域）に設けられることを意味する。帯状部は、ポケット上方領域の身幅方向の全体に設けられてもよく、一部のみに設けられてもよい。帯状部は、ポケット上方領域よりも身幅方向の内方および／または外方に延在していてもよい。なお帯状部は、ポケットの開口と交差または接触して設けられない。
【００３４】
帯状部は、少なくとも一部が、ポケットの開口から鉛直上方に１５ｃｍ以内にあることが好ましく、１０ｃｍ以内がより好ましく、７ｃｍ以内がさらに好ましい。
【００３５】
帯状部は、身長方向の上方から下方に向かって身幅方向の外方から内方へ延びる部分を有するが、身長方向の上方から下方に向かって身幅方向の外方から内方へ延びる間に水平部分が存在していてもよい。この場合、水平部分も、身長方向の上方から下方に向かって身幅方向の外方から内方へ延びる部分と見なされる。
【００３６】
帯状部は、ポケットの開口よりも身幅方向の内方に到達するように設けられるが、帯状部のポケットの開口よりも身幅方向の内方部分は、身長方向に対しては、ポケットの開口よりも上方にあっても下方にあってもよく、ポケットの開口と身長方向に対して同じ高さ（すなわち身長方向に対して重なる位置）にあってもよい。なお帯状部は、ポケットの開口よりも身幅方向の内方部分が、ポケットの開口の上端よりも身長方向の下方に到達するように設けられることが好ましく、これにより帯状部に沿って流れた水がポケットに入ることを防ぎやすくなる。
【００３７】
帯状部の幅は特に限定されないが、例えば、５ｍｍ以上３０ｍｍ以下が好ましい。帯状部の幅が５ｍｍ以上であれば、水が基材表面を伝って落ちる際に、水が帯状部に引っ掛かりやすくなるとともに、水が帯状部に沿って流れやすくなる。帯状部の幅が３０ｍｍ以下であれば、水が帯状部の延在する方向に沿って好適に流れやすくなる。なお、帯状部の幅とは、帯状部の延在方向に直交する最大幅を意味する。帯状部の延在方向は、帯状部の幅中心線の延在方向に基づき定めるものとする。
【００３８】
帯状部は、少なくとも一部が、ポケットの開口に対して身長方向の鉛直上方に位置する部分を含み、身長方向の上方から下方に向かって身幅方向の外方から内方へ延びて、ポケットの開口よりも身幅方向の内方に到達するように設けられればよい。従って、帯状部は、例えば、身長方向の上方から下方に向かって身幅方向の内方から外方へ延びる部分などを有していてもよい。
【００３９】
帯状部の配置例について、図１〜図５を参照して説明する。図１〜図５には、上衣としてフード付きのジャケットの斜視図を示した。
【００４０】
上衣１には、前身頃の表側面にポケット３が設けられており、前身頃の表側面を構成する基材２の表面に帯状部５が設けられている。図面において、帯状部５はハッチングを付して表されている。帯状部５は、基材２よりも親水性に形成されており、図１〜図５の上衣１はいずれも、帯状部５が、ポケット３の開口４に対して身長方向の鉛直上方に位置する部分を含み、身長方向の上方から下方に向かって身幅方向の外方から内方へ延びて、ポケット３の開口４よりも身幅方向の内方に到達するように設けられている。
【００４１】
図１では、帯状部５は、一部がポケット３の開口４に対して身長方向の鉛直上方に位置し、身長方向の上方から下方に向かって身幅方向の外方から内方へ延びてポケット３の開口４よりも身幅方向の内方に到達するように設けられた部分のみを有している。帯状部５がこのように設けられた部分を有することにより、基材２の表面を伝って落ち帯状部５に達した水が、帯状部５の延在方向に沿ってポケット３の開口４よりも身幅方向の内方に排除されやすくなり、水がポケット３に入り込みにくくなる。
【００４２】
帯状部５は、上記のように設けられた部分を第１部分５Ａとして有し、さらにそれ以外の部分を有していてもよい。この場合、第１部分５Ａは、帯状部５のうち、ポケット３の開口４に対して身長方向の鉛直上方に位置する部分を含み、身長方向の上方から下方に向かって身幅方向の外方から内方へ延びて、ポケット３の開口４よりも身幅方向の内方に到達する部分となる。第１部分５Ａにおいては、帯状部５は、身長方向の上方から下方に向かって身幅方向の外方から内方へ延び、第１部分５Ａの下端は、ポケット３の開口４よりも身幅方向の内方に位置することとなる。第１部分５Ａの下端は、ポケット３の開口４よりも、身長方向に対して上方にあっても下方にあってもよく、ポケット３の開口４と身長方向に対して重なる位置にあってもよい。また、第１部分５Ａは水平方向に延びる部分を含んでいてもよい。
【００４３】
第１部分５Ａは、身長方向の上方から下方に向かって身幅方向の外方から内方へ延びて、ポケット３の開口４よりも身幅方向の内方であって、ポケット３の開口４の上端よりも下方に到達することが好ましい。このように第１部分５Ａを設けることにより、第１部分５Ａに沿って流れた水がポケット３に入るのを防ぎやすくなる。
【００４４】
第１部分５Ａは連続的に設けられても断続的に設けられてもよい。なお、第１部分５Ａの断続部分はできるだけ短い方が好ましく、第１部分５Ａに断続部分が設けられる場合、断続部分の長さは５ｃｍ以下が好ましく、３ｃｍ以下がより好ましく、２ｃｍ以下がさらに好ましい。なお、第１部分の断続部分の長さとは、当該断続部分を挟んだ第１部分の実在部分間の最短距離を意味する。後述する、第２部分と第３部分についても同様である。
【００４５】
図２および図３には、第１部分５Ａに加えて第２部分５Ｂを有する帯状部５が設けられた例を示した。第２部分５Ｂは、帯状部５のうち、第１部分５Ａの身長方向の鉛直下方に位置する部分を含み、ポケット３の開口４よりも身幅方向の内方の位置から、身長方向の上方から下方に向かって鉛直下方および／または身幅方向の内方から外方へ延びて、ポケット３の開口４よりも身長方向の下方に到達する部分となる。図２では、第２部分５Ｂは、身長方向の上方から下方に向かって鉛直下方へ延びており、図３では、第２部分５Ｂは、身長方向の上方から下方に向かって身幅方向の内方から外方へ延びている。帯状部５が、第１部分５Ａに加えて第２部分５Ｂを有することにより、第１部分５Ａによってポケット３の開口４よりも身幅方向の内方に排除された水が、第２部分５Ｂに沿ってポケット３の開口４よりも身長方向の下方に誘導され、ポケット３の開口４に水が入るのを防ぎやすくなる。また、前身頃を伝って落ちる水が、前身頃の身幅方向の中心付近のみに集まるのが抑えられ、前身頃から落下した水によって着用者の足元が邪魔されにくくなる。
【００４６】
帯状部５において、第２部分５Ｂは、第１部分５Ａの身長方向の鉛直下方に位置する部分を含み、身長方向の上方から下方に向かって鉛直下方および／または身幅方向の内方から外方へ延びる部分となる。この際、第２部分５Ｂの上端は、ポケット３の開口４よりも身幅方向の内方に位置し、下端は、ポケット３の開口４よりも身長方向の下方に位置することとなる。第２部分５Ｂの上端は、ポケット３の開口４よりも、身長方向に対して上方にあっても下方にあってもよく、ポケット３の開口４と身長方向に対して重なる位置にあってもよい。第２部分５Ｂの下端は、ポケット３の開口４よりも、身幅方向に対して内方にあっても外方にあってもよく、ポケット３の開口４と身幅方向に対して重なる位置にあってもよい。第２部分５Ｂが第１部分５Ａの身長方向の鉛直下方に位置する部分を含むとは、第２部分５Ｂの少なくとも一部が、第１部分５Ａから身長方向の下方に真っ直ぐ延びる領域に設けられることを意味する。第２部分５Ｂは、当該領域の身幅方向の全体に設けられてもよく、一部のみに設けられてもよい。また、第２部分５Ｂが、身長方向の上方から下方に向かって身幅方向の内方から外方へ延びる場合、水平方向に延びる部分を含んでいてもよい。
【００４７】
第２部分５Ｂは、図３に示すように（あるいは後述する図５にも示すように）、身長方向の上方から下方に向かって身幅方向の内方から外方へ延びる部分を少なくとも有することが好ましい。このように第２部分５Ｂを形成することにより、前身頃を伝って落ちる水が身幅方向の外方に排除されやすくなり、前身頃から落下した水によって着用者の足元が邪魔されにくくなる。より好ましくは、第２部分５Ｂは、少なくとも下端側（下端を含む部分）が、身長方向の上方から下方に向かって身幅方向の内方から外方へ延びるように形成される。
【００４８】
第２部分５Ｂの上端は、ポケット３の開口４の下端よりも、身長方向に対して上方に位置することが好ましい。このように第２部分５Ｂを設けることにより、第１部分５Ａによってポケット３の開口４よりも身幅方向の内方に排除された水が、第２部分５Ｂに沿ってポケット３の開口４よりも身長方向の下方に誘導されやすくなる。
【００４９】
第２部分５Ｂは、図２に示すように、第１部分５Ａに接続して設けられてもよく、図３に示すように、第１部分５Ａから離間して設けられてもよい。なお、第２部分５Ｂは第１部分５Ａに接続していることが好ましく、これにより第１部分５Ａから第２部分５Ｂにスムーズに水が導かれやすくなる。より好ましくは、第２部分５Ｂは第１部分５Ａの下端に接続する。また、第１部分５Ａから第２部分５Ｂに水が移行しやすくなる点から、第１部分５Ａの下端の鉛直下方に第２部分５Ｂが存在することが好ましい。
【００５０】
第２部分５Ｂが第１部分５Ａに接続して設けられる場合は、第２部分５Ｂが、ポケット３の開口４よりも身幅方向の内方かつポケット３の開口４の上端よりも身長方向の上方の位置から、身長方向の上方から下方に向かって延びて、ポケット３の開口４よりも身長方向の下方に到達するように設けられてもよい。このように第２部分５Ｂを設けることにより、前身頃を伝って落ちる水がポケット３に入るのを防ぎやすくなる。
【００５１】
なお、第１部分５Ａについては、図１では曲線状に設けられていたが、図２では、第１部分５Ａは単一の直線状で設けられ、図３では、第１部分５Ａが折れ線状（直線の組み合わせ）で設けられている。このように第１部分５Ａは、身長方向の上方から下方に向かって身幅方向の外方から内方へ延びるように設けられる限り、直線状に設けられても、曲線状に設けられても、それらを組み合わせた形状で設けられてもよい。
【００５２】
図４には、第１部分５Ａに加えて第３部分５Ｃを有する帯状部５が設けられた例を示した。第３部分５Ｃは、帯状部５のうち、第１部分５Ａの身長方向の鉛直上方に位置する部分を含み、身長方向の上方から下方に向かって身幅方向の内方から外方へ延びて、第１部分５Ａに接続するか、第１部分５Ａよりも身幅方向の外方に到達する部分となる。図４では、第３部分５Ｃは、身長方向の上方から下方に向かって身幅方向の内方から外方へ延びて、第１部分５Ａよりも身幅方向の外方に到達するように設けられている。なお、後述する図５では、第３部分５Ｃは、身長方向の上方から下方に向かって身幅方向の内方から外方へ延びて、第１部分５Ａに接続するように設けられている。帯状部５が第３部分５Ｃを有することにより、肩から前身頃に落ちてきた水を身幅方向の外方に排除して、前身頃の表側面を伝って落ちる水の量を減らすことができる。その結果、ポケット３に入る水の量を低減することができる。第３部分５Ｃに沿って前身頃の身幅方向の外方に排除された水は、着用者の体側に沿って流れ落ちる。
【００５３】
帯状部５において、第３部分５Ｃは、第１部分５Ａの身長方向の鉛直上方に位置する部分を含み、身長方向の上方から下方に向かって身幅方向の内方から外方へ延びる部分となる。この際、第３部分５Ｃの身幅方向の外方端は、第１部分５Ａに接続するか、第１部分５Ａよりも身幅方向の外方に位置することとなる。第３部分５Ｃが第１部分５Ａの身長方向の鉛直上方に位置する部分を含むとは、第３部分５Ｃの少なくとも一部が、第１部分５Ａから身長方向の上方に真っ直ぐ延びる領域に設けられることを意味し、第３部分５Ｃは当該領域の身幅方向の全体に設けられてもよく、一部のみに設けられてもよい。第３部分５Ｃは、水平方向に延びる部分を含んでいてもよい。
【００５４】
第３部分５Ｃは、少なくとも一部が脇の下（腋窩）よりも身長方向の上方にあることが好ましく、全体が脇の下よりも身長方向の上方にあることが好ましい。このように第３部分５Ｃを設けることにより、肩から前身頃に落ちてきた水を身幅方向の外方に好適に排除しやすくなる。
【００５５】
第３部分５Ｃは、少なくとも一部が前身頃の肩より鉛直下方に位置することが好ましい。この際、第３部分５Ｃの身幅方向の外方端は、前身頃の袖ぐりから５ｃｍ以内に位置することが好ましく、３ｃｍ以内に位置することがより好ましく、これにより、第３部分５Ｃに沿って身幅方向の外方に排除された水を体側に沿って流下させやすくなる。一方、第３部分５Ｃの身幅方向の内方端は、襟ぐりの身長方向の鉛直下方に位置することが好ましく、これにより前身頃の表側面を伝って落ちる水の量をより減らすことができる。
【００５６】
第３部分５Ｃは、図４に示すように、第１部分５Ａから離間して設けられてもよく、後述する図５に示すように、第１部分５Ａに接続して設けられてもよい。
【００５７】
図４では、第１部分５Ａが断続的に設けられている。第１部分５Ａはこのように断続的に設けられてもよい。第２部分５Ｂや第３部分５Ｃについても、図面では示されていないが、断続的に設けられてもよい。
【００５８】
図５には、第１部分５Ａと第２部分５Ｂと第３部分５Ｃを有する帯状部５が設けられた例を示した。帯状部５が第１部分５Ａと第２部分５Ｂと第３部分５Ｃを有していれば、前身頃の表側面を伝って落ちる水の量を減らし、上衣にかかった水がポケット３に入りにくくすることができ、また、上衣から水が好適に排除されやすくなる。
【００５９】
図５では、第２部分５Ｂが、身長方向の上方から下方に向かって鉛直下方に延び、さらに身幅方向の内方から外方へ延びるように設けられている。このように第２部分５Ｂを形成することにより、第１部分５Ａによってポケット３の開口４よりも身幅方向の内方に排除された水が、第２部分５Ｂに沿って、ポケット３の開口４を避けるように前身頃の身幅方向の外方に排除されやすくなる。
【００６０】
図５では、前身頃の左側に設けられた帯状部５が、第１部分５Ａと第２部分５Ｂと第３部分５Ｃを有し、前身頃の右側に設けられた帯状部５が、第１部分５Ａと第２部分５Ｂを有している。このように、帯状部５は左右非対称に設けられてもよい。
【００６１】
以上、帯状部の配置例について説明したが、本発明の衣料には、第１部分や第２部分や第３部分に相当しない帯状部がさらに設けられていてもよい。また、帯状部とは無関係の位置に、別のポケットが設けられていてもよく、例えば、前身頃に胸ポケットが設けられてもよい。
【００６２】
なお、帯状部は、基材表面を落下した水が帯状部に引っ掛かりやすくする点から、表側面に凹凸が形成されていることが好ましい。このように帯状部の表面に凹凸が形成されていれば、前身頃にかかった水が、帯状部に引っ掛かりやすくなり、その後帯状部の延在方向に沿って移動しやすくなる。凹凸の形成パターンは特に限定されないが、例えば凸部は、散点状、ストライプ状、格子状に設けられればよい。
【００６３】
帯状部の表側面に形成される凹凸は、水が凹部に入り込んで留まるのを防止する点から、比較的低い高さで形成されることが好ましい。従って、凸部の高さは１ｍｍ以下であることが好ましく、０．５ｍｍ以下がより好ましく、０．２ｍｍ以下がさらに好ましく、０．１ｍｍ未満が特に好ましい。凸部の高さの下限は特に限定されないが、手で触ることにより確認できる程度で凸部が形成されていることが好ましく、凸部の高さは、例えば０．０１ｍｍ以上であることが好ましい。なお、凸部の高さとは、凹部の底から凸部の頂部までの高さを意味する。
【００６４】
水が帯状部を伝って帯状部の延在方向に移動しやすくする点から、凸部は帯状部の延在方向に延びるストライプ状に設けられていることが好ましい。すなわち、帯状部には、表側面に、帯状部の延在方向に延びる凸条が複数並んで形成されていることが好ましい。帯状部が曲線状や折れ線状に設けられる場合は、それぞれの部分で帯状部の延在方向に凸条が延びるように形成されていることが好ましい。このように帯状部の表側面に凸条が形成されていれば、基材表面を落下した水が帯状部に引っ掛かりやすくなるとともに、帯状部で水が凸条の延在方向に沿って移動しやすくなる。
【００６５】
凸条の高さは、上記に説明したように、１ｍｍ以下であることが好ましく、０．５ｍｍ以下がより好ましく、０．２ｍｍ以下がさらに好ましく、０．１ｍｍ未満が特に好ましく、また０．０１ｍｍ以上であることが好ましい。また、凸条の延在方向に沿って水が移動しやすくする点から、凸条はテープの幅方向に対して０．５ｍｍ以上３．０ｍｍ以下のピッチで設けられることが好ましい。なお、凸条のピッチとは、隣接する凸条の頂部間の距離（頂部が幅を有する場合は頂部の幅方向の中心間の距離）を意味する。
【００６６】
帯状部は、基材よりも親水性である限り、その構成材料は特に限定されないが、帯状部は表側面が樹脂層から構成されていることが好ましい。帯状部の表側面が樹脂層から構成されていれば、帯状部が基材よりも親水性に形成されていても、上衣に水が浸透しにくくなり、水が帯状部の樹脂層上を帯状部の延在方向に沿って移動しやすくなる。
【００６７】
帯状部は、前身頃の表側面を構成する基材にテープを取り付けることにより形成することが好ましい。具体的には、帯状部は、前身頃を構成する基材に、表側面が基材よりも親水性に形成されたテープを取り付けることにより形成することが好ましい。このように帯状部を形成することにより、帯状部を簡便に設けることができ、また基材表面を落下した水が帯状部に引っ掛かりやすくなる。さらに、帯状部の表側面に凹凸を形成することも容易になる。
【００６８】
テープは、樹脂フィルムから構成したり、織布、編布、不織布等の布材料から構成することができるが、樹脂層を有することが好ましい。この場合、テープは樹脂層のみから構成されていてもよく、織布、編布、不織布等の布材料に樹脂層が積層されてテープが構成されていてもよい。またテープは、基材側に接着剤層を有していてもよい。
【００６９】
テープの基材への接合方法は特に限定されず、接着剤塗布、熱融着、超音波融着等の公知の接合手段を用いることができる。なお、テープを基材にできるだけ均一に隙間なく接合し、またテープや基材の損傷を防ぐ点から、テープはホットメルト接着剤により基材に接合されていることが好ましい。特に、テープとしては、基材側にホットメルト接着剤層を有するものを用いることが好ましく、このように形成されたテープをホットメルト接着剤層を介して基材と重ね合わせて熱圧着することにより、テープを基材に接着することが好ましい。
【００７０】
基材は、帯状部よりも親水性が低く形成されればよいが、撥水性であることが好ましい。具体的には、ＪＩＳ  Ｌ  １０９２（２００９年版）の７．２に規定される撥水度試験が４級以上（すなわち４級または５級）であることが好ましい。このように基材が形成されていれば、前身頃にかかった水を帯状部によって所望の方向により排除しやすくなる。なお、帯状部やテープについては、同試験が３級以上であることが好ましい。
【符号の説明】
【００７１】
１：上衣
２：基材
３：ポケット
４：開口
５：帯状部、５Ａ：第１部分、５Ｂ：第２部分、５Ｃ：第３部分
【要約】
【課題】前身頃にポケットが設けられた上衣であって、雨が降った際などに前身頃にかかった水がポケットに入りにくくなるように形成された上衣を提供する。
【解決手段】前身頃の表側面にポケット３が設けられた上衣１であって、前身頃の表側面を構成する基材２の表面に帯状部５が設けられ、帯状部５が基材２よりも親水性に形成され、帯状部５は、ポケット３の開口４に対して身長方向の鉛直上方に位置する部分を含み、身長方向の上方から下方に向かって身幅方向の外方から内方へ延びて、ポケット３の開口４よりも身幅方向の内方に到達するように設けられている。
【選択図】図１【図１】
0006047206.tif 000002
【図２】
0006047206.tif 000003
【図３】
0006047206.tif 000004
【図４】
0006047206.tif 000005
【図５】
0006047206.tif 000006